(57)【要約】【課題】センシングシステムにおけるセンシング範囲の拡大とコストの低減とを図りうる、ネットワーク装置、管理装置、センシングシステム、データ転送方法、管理方法、センシング方法、及びプログラムを提供する。【解決手段】ネットワーク装置１０は、データの送受信処理に伴って、データの物理層に関する物理層情報を生成する物理層処理部１１と、データを送信先に送信するとともに、物理層情報を送信先とは別の宛先に送信する送信部１２と、を備えることを特徴とする。【選択図】図１
2018170620.tif 000002
【特許請求の範囲】
【請求項１】
データの送受信処理に伴って、前記データの物理層に関する物理層情報を生成する物理層処理部と、
前記データを送信先に送信するとともに、前記物理層情報を前記送信先とは別の宛先に送信する送信部と、
を備えることを特徴とするネットワーク装置。
【請求項２】
前記データの送受信処理は、予め定められている物理層のプロトコルに基づく処理である、ことを特徴とする請求項１に記載のネットワーク装置。
【請求項３】
前記データの送受信処理は、前記データが示す信号の波形を整形する整形処理、又は、前記データからビット列を抽出する抽出処理である、
ことを特徴とする請求項２に記載のネットワーク装置。
【請求項４】
前記物理層情報は、前記整形処理又は前記抽出処理において抽出される前記データのノイズを含む、
ことを特徴とする請求項３に記載のネットワーク装置。
【請求項５】
前記物理層情報は、前記データが示す信号における、電気レベルに関する情報、電波レベルに関する情報、及び光レベルに関する情報のうち少なくとも１つを含む、
ことを特徴とする請求項１から４のいずれかに記載のネットワーク装置。
【請求項６】
前記送信部は、時間情報が付加された前記物理層情報を前記別の宛先に送信する、
ことを特徴とする請求項１から５のいずれかに記載のネットワーク装置。
【請求項７】
前記送信部は、エラーが検出されている場合に、前記物理層情報を前記別の宛先に送信する、
ことを特徴とする請求項１から６のいずれかに記載のネットワーク装置。
【請求項８】
データの送受信処理に伴って、前記データの物理層に関する物理層情報を生成する物理層処理部と、前記データを送信先に送信するとともに、前記物理層情報を前記送信先とは別の前記管理装置に送信する送信部と、を備える、ネットワーク装置に接続された装置であって、
前記ネットワーク装置から送信されてきた前記物理層情報を取得する、情報取得部と、
取得した前記物理層情報に基づいて、前記ネットワーク装置の周辺の状態を判定する、状態判定部と、
を備えている、
ことを特徴とする管理装置。
【請求項９】
ネットワーク装置と、管理装置とを備え、
前記ネットワーク装置は、
データの送受信処理に伴って、前記データの物理層に関する物理層情報を生成する物理層処理部と、
前記データを送信先に送信するとともに、前記物理層情報を前記送信先とは別の前記管理装置に送信する送信部と、
を備え、
前記管理装置は、
前記ネットワーク装置から送信されてきた前記物理層情報を取得する、情報取得部と、
取得した前記物理層情報に基づいて、前記ネットワーク装置の周辺の状態を判定する、状態判定部と、
を備えている、
ことを特徴とするセンシングシステム。
【請求項１０】
前記ネットワーク装置において、
前記送信部は、時間情報が付加された前記物理層情報を前記管理装置に送信する、
前記管理装置において、
前記状態判定部が、更に、前記時間情報に基づいて、前記ネットワーク装置の周辺の状態の時系列変化を判定する、
請求項９に記載のセンシングシステム。
【請求項１１】
ネットワーク装置と管理装置とを用いたセンシング方法であって、
（ａ）前記ネットワーク装置によって、データの送受信処理に伴って、前記データの物理層に関する物理層情報を生成する、ステップと、
（ｂ）前記ネットワーク装置によって、前記データを送信先に送信するとともに、前記物理層情報を前記送信先とは別の前記管理装置に送信する、ステップと、
（ｃ）前記管理装置によって、前記ネットワーク装置から送信されてきた前記物理層情報を取得する、ステップと、
（ｄ）前記管理装置によって、前記物理層情報に基づいて、前記ネットワーク装置の周辺の状態を判定する、ステップと、
を有する、
ことを特徴とするセンシング方法。
【請求項１２】
（ａ）データの送受信処理に伴って、前記データの物理層に関する物理層情報を生成する、ステップと、
（ｂ）前記データを送信先に送信するとともに、前記物理層情報を前記送信先とは別の宛先に送信する、ステップと、
を有する、ことを特徴とするデータ転送方法。
【請求項１３】
データの送受信処理に伴って、前記データの物理層に関する物理層情報を生成する物理層処理部と、前記データを送信先に送信するとともに、前記物理層情報を前記送信先とは別の前記管理装置に送信する送信部と、を備える、ネットワーク装置の管理方法であって、
（ａ）前記ネットワーク装置から送信されてきた前記物理層情報を取得する、ステップと、
（ｂ）取得した前記物理層情報に基づいて、前記ネットワーク装置の周辺の状態を判定する、ステップと、
を有する、ことを特徴とする管理方法。
【請求項１４】
データの送受信処理に伴って、前記データの物理層に関する物理層情報を生成する物理層処理部と、前記データを送信先に送信する送信部と、プロセッサとを備える、ネットワーク装置において、
前記プロセッサに、
（ａ）前記物理層情報を取得する、ステップと、
（ｂ）前記送信部を介して、前記物理層情報を、前記送信先とは別の前記管理装置に送信する、ステップと、
を実行させるプログラム。
【請求項１５】
ネットワーク装置に接続されたコンピュータに、
（ａ）前記ネットワーク装置から、データの送受信処理に伴って生成された、前記データの物理層に関する物理層情報を取得する、ステップと、
（ｂ）前記物理層情報に基づいて、前記ネットワーク装置の周辺の状態を判定する、ステップと、
を実行させるプログラム。
【発明の詳細な説明】
【技術分野】
【０００１】
本発明は、データを転送するためのネットワーク装置、これを管理する管理装置、これらを用いたセンシングシステム、データ転送方法、管理方法、センシング方法に関し、更には、これらを実現するためのプログラムに関する。
【背景技術】
【０００２】
インフラ設備、例えば、道路、線路、橋、電力供給網、上下水道施設等においては、社会の安定のため、適切に管理することが必要となる。このため、インフラ設備においては、各部の状態を検出するために、設備全域にわたってセンサを配置することが行なわれている（例えば、特許文献１及び２参照。）。
【０００３】
例えば、特許文献１は、インフラ設備が配置されている土壌及び岩盤の状況を監視するシステムを開示している。特許文献１に開示されたシステムは、土壌及び岩盤に配置された多数のセンサと、管理装置とを備えている。センサは、地中を伝搬する弾性波を検出し、検出した弾性波を示す信号を管理装置に送信する。管理装置は、各センサから送信されてきた信号に基づいて、インフラ設備が配置されている土壌及び岩盤の状況を判定する。
【０００４】
また、特許文献２は、監視端末局と、親局監視センターと、広域集中監視センターとを備えた、システムを開示している。特許文献２に開示されたシステムでは、監視端末局は、各種センサを備え、これらから上下水道施設の状態情報を収集する。また、監視端末局は、収集した状態情報を、公衆回線を介して、親局監視センターと広域集中監視センターとに送信する。親局監視センターは、送信されてきた状態情報に基づいて、対応する領域における上下水道施設を監視する。広域集中監視センターは、地域全体での上下水道施設を監視する。
【先行技術文献】
【特許文献】
【０００５】
【特許文献１】特開平１０−１９７２９６号公報
【特許文献２】特開２００３−２２１８４５号公報
【発明の概要】
【発明が解決しようとする課題】
【０００６】
上述したシステムを用いれば、遠隔からインフラ設備を適切に管理することが可能になると思われるが、これらのシステムを実現するためには、広域にわたって多数のセンサを設置する必要がある。このため、以下の問題が生じている。
【０００７】
まず、センサ毎に、電源装置と、情報送信用の通信装置とを設置する必要があるため、センサの設置及び運用には、大きなコストがかるという問題がある。また、センサが設置される場所は、風雨に晒される事が多く、センサ、電源装置及び通信装置の寿命は、屋内に設置される場合に比べて短いという問題もある。また、センシング範囲を広げるためには、上述したようにセンサ、電源装置、及び通信装置を設置する必要があるため、センシング範囲の拡大が難しいという問題もある。
【０００８】
本発明の目的の一例は、上記問題を解消し、センシングシステムにおけるセンシング範囲の拡大とコストの低減とを図りうる、ネットワーク装置、管理装置、センシングシステム、データ転送方法、管理方法、センシング方法、及びプログラムを提供することにある。
【課題を解決するための手段】
【０００９】
上記目的を達成するため、本発明の一側面におけるネットワーク装置は、
データの送受信処理に伴って、前記データの物理層に関する物理層情報を生成する物理層処理部と、
前記データを送信先に送信するとともに、前記物理層情報を前記送信先とは別の宛先に送信する送信部と、
を備えることを特徴とする。
【００１０】
上記目的を達成するため、本発明の一側面における管理装置は、データの送受信処理に伴って、前記データの物理層に関する物理層情報を生成する物理層処理部と、前記データを送信先に送信するとともに、前記物理層情報を前記送信先とは別の前記管理装置に送信する送信部と、を備える、ネットワーク装置に接続された装置であって、
前記ネットワーク装置から送信されてきた前記物理層情報を取得する、情報取得部と、
取得した前記物理層情報に基づいて、前記ネットワーク装置の周辺の状態を判定する、状態判定部と、
を備えている、
ことを特徴とする。
【００１１】
上記目的を達成するため、本発明の一側面におけるセンシングシステムは、
ネットワーク装置と、管理装置とを備え、
前記ネットワーク装置は、
データの送受信処理に伴って、前記データの物理層に関する物理層情報を生成する物理層処理部と、
前記データを送信先に送信するとともに、前記物理層情報を前記送信先とは別の前記管理装置に送信する送信部と、
を備え、
前記管理装置は、
前記ネットワーク装置から送信されてきた前記物理層情報を取得する、情報取得部と、
取得した前記物理層情報に基づいて、前記ネットワーク装置の周辺の状態を判定する、状態判定部と、
を備えている、
ことを特徴とする。
【００１２】
また、上記目的を達成するため、本発明の一側面におけるデータ転送方法は、
（ａ）データの送受信処理に伴って、前記データの物理層に関する物理層情報を生成する、ステップと、
（ｂ）前記データを送信先に送信するとともに、前記物理層情報を前記送信先とは別の宛先に送信する、ステップと、
を有する、ことを特徴とする。
【００１３】
また、上記目的を達成するため、本発明の一側面における管理方法は、データの送受信処理に伴って、前記データの物理層に関する物理層情報を生成する物理層処理部と、前記データを送信先に送信するとともに、前記物理層情報を前記送信先とは別の前記管理装置に送信する送信部と、を備える、ネットワーク装置の管理方法であって、
（ａ）前記ネットワーク装置から送信されてきた前記物理層情報を取得する、ステップと、
（ｂ）取得した前記物理層情報に基づいて、前記ネットワーク装置の周辺の状態を判定する、ステップと、
を有する、ことを特徴とする。
【００１４】
また、上記目的を達成するため、本発明の一側面におけるセンシング方法は、
ネットワーク装置と管理装置とを用いたセンシング方法であって、
（ａ）前記ネットワーク装置によって、データの送受信処理に伴って、前記データの物理層に関する物理層情報を生成する、ステップと、
（ｂ）前記ネットワーク装置によって、前記データを送信先に送信するとともに、前記物理層情報を前記送信先とは別の前記管理装置に送信する、ステップと、
（ｃ）前記管理装置によって、前記ネットワーク装置から送信されてきた前記物理層情報を取得する、ステップと、
（ｄ）前記管理装置によって、前記物理層情報に基づいて、前記ネットワーク装置の周辺の状態を判定する、ステップと、
を有する、
ことを特徴とする。
【００１５】
上記目的を達成するため、本発明の一側面における第１のプログラムは、データの送受信処理に伴って、前記データの物理層に関する物理層情報を生成する物理層処理部と、前記データを送信先に送信する送信部と、プロセッサとを備える、ネットワーク装置において、
前記プロセッサに、
（ａ）前記物理層情報を取得する、ステップと、
（ｂ）前記送信部を介して、前記物理層情報を、前記送信先とは別の前記管理装置に送信する、ステップと、
を実行させることを特徴とする。
【００１６】
上記目的を達成するため、本発明の一側面における第２のプログラムは、
ネットワーク装置に接続されたコンピュータに、
（ａ）前記ネットワーク装置から、データの送受信処理に伴って生成された、前記データの物理層に関する物理層情報を取得する、ステップと、
（ｂ）前記物理層情報に基づいて、前記ネットワーク装置の周辺の状態を判定する、ステップと、
を実行させることを特徴とする。
【発明の効果】
【００１７】
以上のように、本発明によれば、センシングシステムにおけるセンシング範囲の拡大とコストの低減とを図ることができる。
【図面の簡単な説明】
【００１８】
【図１】図１は、本発明の実施の形態におけるネットワーク装置の概略構成を示すブロック図である。
【図２】図２は、本発明の実施の形態におけるネットワーク装置の具体的構成を示すブロック図である。
【図３】図３は、本発明の実施の形態におけるネットワーク装置の動作を示すフロー図である。
【図４】図４は、本発明の実施の形態におけるセンシングシステムの構成を示すブロック図である。
【図５】図５は、本発明の実施の形態において管理装置のデータベースに格納されている物理層情報の一例を示す図である。
【図６】図６は、本実施の形態における管理装置で用いられる現場状態テーブルの一例である。
【図７】図７は、本発明のセンシングシステムの動作を示すフロー図である。
【図８】図８は、本発明の実施の形態における管理装置を実現するコンピュータの一例を示すブロック図である。
【発明を実施するための形態】
【００１９】
（実施の形態）
以下、本発明の実施の形態における、ネットワーク装置、管理装置、センシングシステム、データ転送方法、管理方法、センシング方法、及びプログラムについて、図１〜図８を参照しながら説明する。
【００２０】
［装置構成］
最初に、本実施の形態におけるネットワーク装置の構成について説明する。図１は、本発明の実施の形態におけるネットワーク装置の概略構成を示すブロック図である。
【００２１】
図１に示す、本実施の形態におけるネットワーク装置１０は、電気ケーブル、光ケーブル、又は無線回線によって送信されてきたデータを中継するための装置である。図１に示すように、ネットワーク装置１０は、物理層処理部１１と、送信部１２とを備えている。
【００２２】
物理層処理部１１は、データの送受信処理に伴って、データの物理層に関する物理層情報を生成する。送信部１２は、データを送信先に送信するとともに、物理層情報を送信先とは別の宛先に送信する。
【００２３】
このように、本実施の形態では、ネットワーク装置１０は、データの送受信処理によって生成された物理層情報を外部に送信することができる。そして、物理層情報には、ケーブルの温度、ケーブルの振動、ネットワーク装置周辺の空間、等を特定可能な情報が含まれている。このため、ネットワーク装置１０を用いれば、従来のように、多数のセンサを配置することなく、センシングを行なうことができる。本実施の形態によれば、センシングシステムにおけるセンシング範囲の拡大とコストの低減とを図ることが可能となる。
【００２４】
続いて、図２を用いて、本実施の形態におけるネットワーク装置の構成についてより具体的に説明する。図２は、本発明の実施の形態におけるネットワーク装置の具体的構成を示すブロック図である。図２に示すように、本実施の形態では、ネットワーク装置１０は、上述した物理層処理部１１及び送信部１２に加えて、これらを制御するための制御部１３を備えている。
【００２５】
物理層処理部１１は、本実施の形態では、ＰＨＹ（Physical）チップ１４を備えている。ＰＨＹチップ１４は、ネットワーク装置１０が、外部から送信されてきたデータを受信すると、受信されたデータに対して受信処理を実行する。具体的には、ＰＨＹチップ１４は、予め定められている物理層のプロトコルに基づく処理、例えば、データが示す信号の波形を整形する整形処理、又は、データが示す信号からビット列を抽出する抽出処理を実行する。予め定められている物理層のプロトコルとしては、例えば、ＩＥＥＥ８０２．３  １０００Ｂａｓｅ−Ｔ（ＰＨＹの標準規格）が挙げられる。
【００２６】
また、ＰＨＹチップ１４は、物理層のプロトコルに基づく処理を実行した際、データが示す信号における、電気レベルに関する情報（以下「電気レベル情報」と表記する）、電波レベルに関する情報（以下「電波レベル情報」と表記する）、及び光レベルに関する情報（以下「光レベル情報」と表記する）等を生成し、これらをレジスタに登録する。本実施の形態では、レジスタに登録されたこれらの情報が、物理層情報となる。
【００２７】
また、レジスタに登録される情報としては、上記のプロトコルで規定された情報が挙げられるが、本実施の形態では、上記のプロトコルで規定されていない情報が登録されていても良い。例えば、整形処理又は抽出処理において抽出されるデータのノイズに関する情報が、レジスタに登録されていても良い。この場合、ノイズに関する情報も物理層情報に含まれる。
【００２８】
また、ＰＨＹチップ１４は、送信部１２から送信されるデータに対しても、予め定められている物理層のプロトコルに基づく処理を実行することもできる。この場合も、ＰＨＹチップ１４は、受信の場合と同様に情報を生成し、これらをレジスタに登録する。本実施の形態では、送信時にレジスタに登録された情報も、物理層情報となる。
【００２９】
また、一つのネットワーク装置１０において、ＰＨＹチップ１４は、複数備えられていても良い。この場合、一部のＰＨＹチップ１４は受信用に用いられ、別のＰＨＹチップ１４は送信用に用いられる。
【００３０】
送信部１２は、本実施の形態では、ＭＡＣ（Media Access Control）チップ１５を備えている。ＭＡＣチップ１５は、ＰＨＹチップ１４から送信用のデータを受け取ると、受け取ったデータのビット列から、予め定められた仕様に沿ってＭＡＣフレームを取り出し、取り出したＭＡＣフレームが正しいかどうかを判定する。ＭＡＣフレームが正しい場合は、ＭＡＣチップ１５は、送信先のＭＡＣアドレスを特定し、特定したＭＡＣアドレスに向けて、ＭＡＣフレームを送信する。
【００３１】
また、ＭＡＣチップ１５は、物理層情報が生成された場合は、制御部１３の指示に応じて、物理層情報を用いて、ＭＡＣフレームを生成し、生成したＭＡＣフレームを、指示された宛先に送信する。
【００３２】
制御部１３は、物理層処理部１１に対しては、物理層情報の生成を指示する。また、制御部１３は、送信部１２に対しては、設定された宛先への物理層情報の送信を指示する。制御部１３は、本実施の形態では、ネットワーク装置１０に備えられたＣＰＵ（Central Processing Unit）である。また、物理層情報の宛先としては、後述するセンシングシステムを構成する管理装置が挙げられる（図４参照）
【００３３】
具体的には、制御部１３は、まず、ＰＨＹチップ１４にアクセス可能なインターフェイスを用いて、物理層処理部１１のレジスタから、物理層情報を読み出す。続いて、制御部１３は、送信部１２に、読み出した物理層情報を送信させる。
【００３４】
また、本実施の形態では、制御部１３は、物理層情報に、予め設定された条件を満たす情報が含まれていた場合にのみ、送信部１２に物理層情報を送信させることもできる。なお、条件としては、データの送信元又はデータの送信経路でエラーが発生していると想定される条件（以下「エラー条件」と表記する）が挙げられる。
【００３５】
また、制御部１３は、物理層情報に時間情報を付加することができる。時間情報としては、データが受信された時点の時刻を特定する時刻情報が挙げられる。この場合、送信部１２は、時間情報が付加された物理層情報を設定された宛先に送信する。
【００３６】
［装置動作］
次に、本発明の実施の形態におけるネットワーク装置１０の動作について図３を用いて説明する。図３は、本発明の実施の形態におけるネットワーク装置の動作を示すフロー図である。以下の説明においては、適宜図１及び図２を参酌する。なお、以下の説明において、物理層情報の宛先は、後述するセンシングシステムを構成する管理装置であるとする（図４参照）。また、本実施の形態では、ネットワーク装置１０を動作させることによって、データ転送方法が実施される。よって、本実施の形態におけるデータ転送方法の説明は、以下のネットワーク装置１０の動作の説明に代える。
【００３７】
図３に示すように、最初に、制御部１３は、ＰＨＹチップ１４にアクセス可能なインターフェイスを用いて、物理層処理部１１のレジスタから、物理層情報を取得する（ステップＡ１）。
【００３８】
次に、制御部１３は、センシングシステムの管理装置がエラー時のみ物理層情報を送るように指示しているかどうかを判定する（ステップＡ２）。
【００３９】
ステップ２の判定の結果、エラー時のみ物理層情報を送るように指示していない場合は、制御部１３は、ステップＡ１で取得した物理層情報に時間情報を付加し、送信部１２に、時間情報が付加された物理層情報を、管理装置へと送信させる（ステップＡ３）。なお、エラー時のみ物理層情報を送る旨の指示については、図４を用いて後述する。
【００４０】
一方、ステップＡ２の判定の結果、エラー時のみ物理層情報を送るように指示している場合は、制御部１３は、ステップＡ１で取得した物理層情報に、エラー条件を満たす情報が存在しているかどうかを判定する（ステップＡ４）
【００４１】
ステップＡ４の判定の結果、エラー条件を満たす情報が存在している場合は、制御部１３は、ステップＡ３を実行する。一方、ステップＡ４の判定の結果、エラー条件を満たす情報が存在していない場合は、制御部１３は、処理を終了する。
【００４２】
以上のステップＡ１〜Ａ４は、設定された間隔で繰り返し実行される。これにより、後述するセンシングシステムを構成する管理装置は、時系列に沿って物理層情報を蓄積することができる。
【００４３】
［プログラム：ネットワーク装置］
本実施の形態における第１のプログラムは、ネットワーク装置１０のＣＰＵ（制御部１３）に、図３に示すステップＡ１〜Ａ４を実行させるプログラムであれば良い。このプログラムをネットワーク装置１０にインストールし、実行することによって、本実施の形態におけるネットワーク装置１０及びデータ転送方法を実現することができる。
【００４４】
［システム構成］
続いて、本実施の形態におけるセンシングシステムの構成について説明する。図４は、本発明の実施の形態におけるセンシングシステムの構成を示すブロック図である。
【００４５】
図４に示すように、本実施の形態におけるセンシングシステム１００は、ネットワーク装置１０と、管理装置２０とを備えている。本実施の形態では、ネットワーク装置１０と管理装置２０とは、インターネット等のネットワーク３０を介して接続されている。
【００４６】
また、図４に示すように、ネットワーク装置１０は、図１及び図２に示したように、物理層処理部１１と、送信部１２と、制御部１３を備えている。更に、本実施の形態では、複数のネットワーク装置１０が設けられている。また、図４の例では、ネットワーク装置１０は、互いに、電気ケーブル又は光ファイバケーブルを介してデータ伝送を行なっている。加えて、電気ケーブル又は光ファイバケーブルは、インフラ設備４０に沿って敷設されている。
【００４７】
更に、図４に示すように、管理装置２０は、情報取得部２１と、状態判定部２２とを備えている。情報取得部２１は、ネットワーク装置１０から送信されてきた物理層情報を取得する。また、情報取得部２１は、本実施の形態では、ネットワーク装置１０に対して、エラー時にのみ物理層情報を送信するように指示を行なうことができる。この場合は、送信されてくるデータ量を抑制することができ、ネットワークの速度低下を抑制できる。
【００４８】
状態判定部２２は、取得した物理層情報に基づいて、ネットワーク装置１０の周辺の状態を判定する。また、物理層情報に時間情報が付加されている場合は、状態判定部２２は、時間情報に基づいて、ネットワーク装置１０の周辺の状態の時系列変化を判定する。
【００４９】
また、本実施の形態では、管理装置２０は、取得した物理層情報を格納するデータベース２３も備えている。情報取得部２１は、本実施の形態では、各ネットワーク装置１０から送信されてきた物理層情報を定期的に受信し、受信した情報を時系列に沿って、データベース２３に格納する。
【００５０】
具体的には、状態判定部２２は、予め設定されている、物理層情報の内容とネットワーク装置１０の周辺の状態との関係を規定するテーブル（以下「現場状態テーブル」と表記する）に基づいて、ネットワーク装置１０の周辺又はケーブルの状態を判定する。
【００５１】
ここで、図５及び図６を用いて状態判定部２２の判定処理について説明する。図５は、本発明の実施の形態において管理装置のデータベースに格納されている物理層情報の一例を示す図である。図６は、本実施の形態における管理装置で用いられる現場状態テーブルの一例である。
【００５２】
図５の例では、３つのネットワーク装置１０それぞれから得られた物理層情報が時系列に沿って格納されている。図５においては、ネットワーク装置１０は、それぞれ、「ネットワーク装置Ａ」、「ネットワーク装置Ｂ」、「ネットワーク装置Ｃ」と表記されている。また、ネットワーク装置Ａ及びＣは、電気ケーブルに接続されており、物理層情報として、電気レベル情報を送信している。ネットワーク装置Ｂは、光ケーブルに接続されており、物理層情報として、光レベル情報を送信している。また、図５中「Linkdown エラー」とあるのは、通信が途切れていることを示している。
【００５３】
また、図６に示すように、電気レベル情報及び光レベル情報は、それぞれレベルの値を含む情報である。図６の例では、各現場状態テーブルは、レベルの値毎にケーブルの状態を規定している。具体的には、現場状態テーブルＴ０１は、光レベル情報について、レベルの値毎にケーブルに生じる加速度を規定している。また、現場状態テーブルＴ０２は、電気レベル情報について、レベルの値毎にケーブルの温度を規定している。
【００５４】
従って、図５及び図６の例では、状態判定部２２は、例えば、時刻００：００：２０において、ネットワーク装置Ａが接続されているケーブルにおいて温度異常が発生していると判定する。また、状態判定部２２は、時刻００：００：４０において、ネットワーク装置Ｂが接続されているケーブルの敷設エリアで震度２の地震が発生し、時刻００：００：５０では震度は更に上昇していると判定する。更に、状態判定部２２は、時刻００：０１：００において、ネットワーク装置Ａ〜Ｃ全てにおいて通信が途切れてしまったと判定する。また、状態判定部２２は、以上の判定結果から、更に、インフラ設備４０の状態も判定する。
【００５５】
［システム動作］
次に、本実施の形態におけるセンシングシステム１００の動作について図７を用いて説明する。図７は、本発明のセンシングシステムの動作を示すフロー図である。以下の説明においては、適宜図４〜図６を参酌する。また、本実施の形態では、センシングシステム１００を動作させることによって、センシング方法及び管理方法が実施される。よって、本実施の形態におけるセンシング方法及び管理方法の説明は、以下のセンシングシステム１００の動作説明に代える。
【００５６】
図７に示すように、最初に、管理装置２０において、情報取得部２１は、各ネットワーク装置１０から送信されてきた物理層情報を取得する（ステップＢ１）。次いで、情報取得部２１は、取得した物理層情報をデータベース２３に格納する（ステップＢ２）。
【００５７】
次に、状態判定部２２は、ステップＢ１で取得された物理層情報を、現場状態テーブルに照合して、ネットワーク装置１０毎に、ネットワーク装置１０の周辺又はケーブルの状態を判定する（ステップＢ３）。
【００５８】
また、ステップＢ３では、状態判定部２２は、ネットワーク装置１０毎の判定結果を総合的に判断することもできる。更に、状態判定部２２は、ステップＢ３で得られた判定結果と過去の判定結果とを比較して判断を行なうこともできる。例えば、状態判定部２２は、複数のネットワーク装置１０において時系列に沿って順に振動が発生し、その後、各ネットワーク装置１０において通信が途切れた場合は、広い範囲で地震が発生したと判断する。
【００５９】
以上のステップＢ１〜Ｂ３は、設定された間隔で繰り返し実行される。これにより、センシングシステム１００は、ネットワーク装置１０の周辺又はケーブルの状態を監視することができる。
【００６０】
［プログラム：管理装置］
本実施の形態における第２のプログラムは、コンピュータに、図７に示すステップＢ１〜Ｂ３を実行させるプログラムであれば良い。このプログラムをコンピュータにインストールし、実行することによって、本実施の形態における管理装置２０と管理方法及びセンシング方法とを実現することができる。この場合、コンピュータのＣＰＵ（Central Processing Unit）は、情報取得部２１及び状態判定部２２として機能し、処理を行なう。また、本実施の形態では、データベース２３は、コンピュータに備えられたハードディスク等の記憶装置に、これらを構成するデータファイルを格納することによって実現できる。
【００６１】
また、本実施の形態におけるプログラムは、複数のコンピュータによって構築されたコンピュータシステムによって実行されても良い。この場合は、例えば、各コンピュータが、それぞれ、情報取得部２１及び状態判定部２２のいずれかとして機能しても良い。また、データベース２３は、本実施の形態におけるプログラムを実行するコンピュータとは別のコンピュータ上に構築されていても良い。
【００６２】
ここで、本実施の形態におけるプログラムを実行することによって、管理装置２０を実現するコンピュータについて図８を用いて説明する。図８は、本発明の実施の形態における管理装置を実現するコンピュータの一例を示すブロック図である。
【００６３】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００６４】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００６５】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００６６】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００６７】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００６８】
なお、本実施の形態における管理装置２０は、プログラムがインストールされたコンピュータではなく、各部に対応したハードウェアを用いることによっても実現可能である。更に、管理装置２０は、一部がプログラムで実現され、残りの部分がハードウェアで実現されていてもよい。
【産業上の利用可能性】
【００６９】
以上のように、本発明によれば、センシングシステムにおけるセンシング範囲の拡大とコストの低減とを図ることができる。本発明は、広範囲でのセンシングが必要なシステム、例えば、インフラ設備の管理システム、鉄道管理システム、地震検知システム等に有用である。
【符号の説明】
【００７０】
１０  ネットワーク装置
１１  物理層処理部
１２  送信部
１３  制御部
１４  ＰＨＹチップ
１５  ＭＡＣチップ
２０  管理装置
３０  ネットワーク
４０  インフラ設備
１００  センシングシステム
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018170620.tif 000003
【図２】
2018170620.tif 000004
【図３】
2018170620.tif 000005
【図４】
2018170620.tif 000006
【図５】
2018170620.tif 000007
【図６】
2018170620.tif 000008
【図７】
2018170620.tif 000009
【図８】
2018170620.tif 000010